(57)【要約】  光ディスク１０は、映画である少なくとも１つのコンテンツ部と、広告である少なくとも１つの他のコンテンツ部とを備える少なくとも１つの記憶層１３を有する。最初のうちは、前記広告は見えるが、しばらくした後には、前記広告はもはや見えない。前記光ディスクは、最初のうちは見えるが、しばらくした後にはもはや見えない広告画像４３を含むラベル１６を具備し得る。前記光ディスクは、最初のうちは見えるが、しばらくした後にはもはや見えない広告画像１４３を具備する収納箱１００に収容され得る。
2010522404.tif 000002
【特許請求の範囲】
【請求項１】
少なくとも２つのコンテンツ部を備える少なくとも１つの記憶層を有するコンテンツ変化光ディスクであって、第１使用段階においては、両コンテンツ部が見え、第２使用段階においては、第１コンテンツ部は見えるが、第２コンテンツ部は見えないコンテンツ変化光ディスク。
【請求項２】
前記第２使用段階が、前記第１使用段階より後である請求項１に記載の光ディスク。
【請求項３】
前記第１使用段階が、前記第２使用段階より後である請求項１に記載の光ディスク。
【請求項４】
第１使用段階においては、第１コンテンツ部及び第２コンテンツ部は見えるが、第３コンテンツ部は見えず、後の第２使用段階においては、前記第１コンテンツ部及び前記第３コンテンツ部は見えるが、前記第２コンテンツ部は見えない請求項１に記載の光ディスク。
【請求項５】
前記第１コンテンツ部が映画であり、前記第２コンテンツ部が広告である請求項１に記載の光ディスク。
【請求項６】
前記第１コンテンツ部が映画であり、前記第２及び第３コンテンツ部が広告である請求項４に記載の光ディスク。
【請求項７】
前記ディスクが、前記記憶層の一部を覆い、前記記憶層の別の部分にはないままにする少なくとも１つの阻止層を更に有し、前記阻止層が、可変光学特性を持つ請求項１に記載の光ディスク。
【請求項８】
前記ディスクが、前記阻止層の前記光学特性の変化のタイミングを制御するためのタイミング制御装置を更に有する請求項７に記載の光ディスク。
【請求項９】
前記阻止層が、雰囲気ガスの少なくとも１つの成分に影響されやすい染料を含む請求項７に記載の光ディスク。
【請求項１０】
前記阻止層が、周辺光の少なくとも１つの成分に影響されやすい染料を含む請求項７に記載の光ディスク。
【請求項１１】
前記阻止層が、前記ディスクに組み込まれる又は取り付けられるチップによって制御されるエレクトロクロミック層を含む請求項７に記載の光ディスク。
【請求項１２】
前記阻止層が、最初のうちは透明であり、後に不透明に変化する特性を持つ請求項１に記載の光ディスク。
【請求項１３】
前記第２使用段階が、前記第１使用段階より後であり、前記阻止層が、前記記憶層の、前記第２コンテンツを含む部分に対応する第１広告領域に配設される請求項１２に記載の光ディスク。 
【請求項１４】
前記阻止層が、最初のうちは不透明であり、後に透明に変化する特性を持つ請求項１に記載の光ディスク。
【請求項１５】
前記第２使用段階が、前記第１使用段階より早期であり、前記阻止層が、前記記憶層の、前記第２コンテンツを含む部分に対応する第１広告領域に配設される請求項１４に記載の光ディスク。 
【請求項１６】
前記第２使用段階が、前記第１使用段階より後であり、
前記記憶層が、前記第２コンテンツ部の位置を識別する情報を含むＴＯＣを備えるＴＯＣ領域を有し、
前記阻止層が、前記ＴＯＣ領域に配設される請求項１２に記載の光ディスク。
【請求項１７】
前記記憶層が、前記第１使用段階においては見えず、前記第２使用段階においては見える第３コンテンツ部を有し、
前記記憶層が、前記第３コンテンツ部の位置を識別する情報を含むＴＯＣを備える第２ＴＯＣ領域を有する請求項１６に記載の光ディスク。
【請求項１８】
前記第２使用段階が、前記第１使用段階より早期であり、
前記記憶層が、前記第２コンテンツ部の位置を識別する情報を含むＴＯＣを備えるＴＯＣ領域を有し、
前記阻止層が、前記ＴＯＣ領域に配設される請求項１４に記載の光ディスク。
【請求項１９】
前記記憶層が、前記第１使用段階においては見え、前記第２使用段階においては見えない第３コンテンツ部を有し、
前記記憶層が、前記第３コンテンツ部の位置を識別する情報を含むＴＯＣを備える第２ＴＯＣ領域を有する請求項１８に記載の光ディスク。
【請求項２０】
少なくとも１つの広告画像を含むラベルを具備する面を持つ光ディスクであって、第１使用段階においては、前記広告画像が見え、第２使用段階においては、前記広告画像が見えない光ディスク。
【請求項２１】
前記第２使用段階が、前記第１使用段階より後である請求項２０に記載の光ディスク。
【請求項２２】
前記ディスクが、前記広告画像を覆う少なくとも１つの阻止層を更に有し、前記阻止層が、透明な層から不透明な層へ遷移することができる特性を持つ請求項２０に記載の光ディスク。
【請求項２３】
前記ディスクが、前記阻止層の前記遷移のタイミングを制御するためのタイミング制御装置を更に有する請求項２２に記載の光ディスク。
【請求項２４】
前記阻止層が、雰囲気ガスの少なくとも１つの成分に影響されやすい染料を含む請求項２２に記載の光ディスク。
【請求項２５】
前記阻止層が、周辺光の少なくとも１つの成分に影響されやすい染料を含む請求項２２に記載の光ディスク。
【請求項２６】
前記阻止層が、前記ディスクに組み込まれる又は取り付けられるチップによって制御されるエレクトロクロミック層を含む請求項２２に記載の光ディスク。
【請求項２７】
前記ラベルが、少なくとも、第２広告画像を含み、前記第１使用段階においては、前記第２広告画像が見えず、前記第２使用段階においては、前記第２広告画像が見える請求項２０に記載の光ディスク。
【請求項２８】
前記ディスクが、前記第２広告画像を覆う第２阻止層を更に有し、前記第２阻止層が、不透明な層から透明な層へ遷移することができる特性を持つ請求項２７に記載の光ディスク。
【請求項２９】
前記広告画像が、反応層であって、前記反応層の光学特性を変えることができる反応層として実現される請求項２０に記載の光ディスク。
【請求項３０】
前記広告画像が、最初のうちは見えず、後に見えるよう変化するように、前記広告画像が、透明な層から不透明な層へ遷移することができる特性を持つ反応層として実現される請求項２９に記載の光ディスク。
【請求項３１】
前記広告画像が、最初のうちは見え、後に見えないよう変化するように、前記広告画像が、不透明な層から透明な層へ遷移することができる特性を持つ反応層として実現される請求項２９に記載の光ディスク。
【請求項３２】
請求項１乃至１９のいずれか一項に従って実現される請求項２０に記載の光ディスク。
【請求項３３】
前記ラベルの広告画像の可視性の変化のタイミングが、前記ディスクの前記第２コンテンツ部の可視性の変化のタイミングとほぼ同期させられる請求項３２に記載の光ディスク。
【請求項３４】
前記ディスクの前記阻止層が、前記ディスクに組み込まれる又は取り付けられるチップによって制御されるエレクトロクロミック層を含み、前記ラベルの前記阻止層が、同じチップによって制御されるエレクトロクロミック層を含む請求項３２に記載の光ディスク。
【請求項３５】
情報担体を収容するための収納箱であって、前記箱が、少なくとも１つの広告画像を含み、第１使用段階においては、前記広告画像が見え、第２使用段階においては、前記広告画像が見えない収納箱。
【請求項３６】
前記第２使用段階が、前記第１使用段階より後である請求項３５に記載の収納箱。
【請求項３７】
前記箱が、前記広告画像を覆う少なくとも１つの阻止層を更に有し、前記阻止層が、透明な層から不透明な層へ遷移することができる特性を持つ請求項３５に記載の収納箱。
【請求項３８】
前記箱が、前記阻止層の前記遷移のタイミングを制御するためのタイミング制御装置を更に有する請求項３７に記載の収納箱。
【請求項３９】
前記阻止層が、雰囲気ガスの少なくとも１つの成分に影響されやすい染料を含む請求項３７に記載の収納箱。
【請求項４０】
前記阻止層が、周辺光の少なくとも１つの成分に影響されやすい染料を含む請求項３７に記載の収納箱。
【請求項４１】
前記阻止層が、前記箱に組み込まれる又は取り付けられるチップによって制御されるエレクトロクロミック層を含む請求項３７に記載の収納箱。
【請求項４２】
前記箱が、少なくとも、第２広告画像を含み、前記第１使用段階においては、前記第２広告画像が見えず、前記第２使用段階においては、前記第２広告画像が見える請求項３５に記載の収納箱。
【請求項４３】
前記箱が、前記第２広告画像を覆う第２阻止層を更に有し、前記第２阻止層が、不透明な層から透明な層へ遷移することができる特性を持つ請求項４２に記載の収納箱。
【請求項４４】
前記広告画像が、反応層であって、前記反応層の光学特性を変えることができる反応層として実現される請求項３５に記載の収納箱。
【請求項４５】
前記広告画像が、最初のうちは見えず、後に見えるよう変化するように、前記広告画像が、透明な層から不透明な層へ遷移することができる特性を持つ反応層として実現される請求項４４に記載の収納箱。
【請求項４６】
前記広告画像が、最初のうちは見え、後に見えないよう変化するように、前記広告画像が、不透明な層から透明な層へ遷移することができる特性を持つ反応層として実現される請求項４４に記載の収納箱。
【請求項４７】
前記広告画像が、前記箱の材料の中又は上に配設される請求項３５に記載の収納箱。
【請求項４８】
前記箱の材料が透明であり、前記広告画像が、前記箱に含まれる挿入物上に配設される請求項３５に記載の収納箱。
【請求項４９】
請求項１乃至３４のいずれか一項に従って実現される光ディスクを収容する請求項３５に記載の収納箱。
【請求項５０】
前記箱の広告画像の可視性の変化のタイミングが、前記ディスクの前記第２コンテンツ部の可視性の変化のタイミングとほぼ同期させられる請求項４９に記載の収納箱。 
【発明の詳細な説明】
【技術分野】
【０００１】
本発明は、広くは、光ディスク及びそれらの収納箱の分野に関し、詳細には、ＤＶＤの分野に関するが、ＤＶＤの分野に限定されない。
【背景技術】
【０００２】
一般に知られているように、光記憶ディスクは、情報がデータパターンの形で記憶され得る記憶スペースにおいて、連続的な螺旋の形又は多数の同心円の形の、少なくとも１つのトラックを有する。ディスクからの情報の読み出しは、一般に、光ディスクを回転させ、光学ビーム、一般にはレーザビームでトラックを走査することによって行われる。広くは光ディスクの技術、光ディクスに情報が記憶され得る方法、及び光ディスクから光学データが読み出され得る方法は、当業者に一般に知られていることから、本願明細書でこの技術をより詳細に説明する必要はない。このことは、ディスクの物理的構造及び情報を記憶するのに用いられるフォーマットにも当てはまる。
【０００３】
本発明は、とりわけＤＶＤ(Digital Versatile Disc)の分野において有用であり、以下、ＤＶＤの例について本発明を説明するが、本発明の骨子は、異なるタイプのディスク、例えばＣＤにも適用され得る。 
【０００４】
光ディスクは、ユーザが情報を記憶することができるように書き込み可能であってもよい。しかしながら、光ディスクは、ユーザが、情報を読み出すことしかできず、ディスクに書き込まれている情報を修正することはできない読み出し専用であってもよい。このタイプのディスクは、一般に、ゲーム又はコンピュータプログラム（ＲＯＭタイプ）、ビデオムービー（ＤＶＤ、ＢＤ）又は音楽（ＣＤ）を販売するのに用いられる。光ディスクは、例えば磁気タイプのような他のタイプの情報担体と比べて、大幅に増加した記憶容量及び大幅に増加した読み出し多用途性を持ち、解像度の向上（ＨＤ画質）及びユーザの選択肢の拡大（マルチアングル、字幕の選択）と共により長い再生時間（より長い映画）を供給することを可能にするという利点を持つ。光ディスクも、改善された耐用年数も持つ。
【０００５】
映画産業においては、映画は、基本的に、４つの方法で商業的に利用される。第１の方法は、映画館における配給である。映画を見たい個人は、チケットを買い、ショーへ足を運ぶ。このような場合には、ユーザは、１人だけが、所定の時間及び場所で、映画を一回見る権利を「買う」。
【０００６】
第２の方法は、テレビを介した配給である。映画を見たい個人は、前記個人のテレビ受像機を所要のチャンネルに合わせる。テレビジョン放送は、所定の時間にある。ユーザが異なる時刻に見たい場合には、前記ユーザは、前記放送を記録し、後で、前記ユーザの好きなだけ何度も再生することができる（又は前記ユーザは、見ることができても、後の再生の可能性のために記録することができる）。「通常の」テレビジョン放送の場合は、必要とされる特定の支払いはない。 
【０００７】
第３の方法は、ＤＶＤでの販売である。映画を見たい個人は、ＤＶＤを買い、前記個人のディスクドライブで前記ＤＶＤを再生する。通常、画質は、通常のテレビジョン放送の画質より高く、通常、ＤＶＤは、付加的な機能及び／又は情報を含む。しかしながら、価格は、一般に、相対的に高い映画館のチケットの価格と同じオーダーの価格であり得る。それでも、ユーザは、前記ユーザにとって映画館に行くのと比較して勝る利点を得る。即ち、前記ユーザは、見たいときに、見たいだけ何度でも、好きなだけ多くの客と一緒に映画を見ることができる。ユーザにとってのこの利点が、映画製作者にとっての不利な点と関連していることは言うまでもない。前記映画製作者は、支払いを一度しか受け取ることができない。
【０００８】
第４の方法は、この場合も先と同様にＤＶＤでの販売であるが、この場合は「再生制限」付きのＤＶＤでの販売である。利点は、ユーザが、例えば４８時間という限られた時間枠の間しか映画を見ることができないことを除き、「通常の」ＤＶＤと同じである。その後は、前記ＤＶＤは、もはや用いられ得ない。このようなタイプのディスクは、例えば、スーパーマーケット、ガソリンスタンドなどのような「安価な」小売販路を介して、（「通常の」ＤＶＤよりかなり低い）相対的に低い価格で流通している。
【０００９】
このタイプの光ディスクを、以下、「視聴制限ディスク」と示す。視聴制限ディスクそれ自体は知られているので、本願明細書では、それらの物理的設計の詳細な説明は省略されている。このようなディスクは、例えば酸素又は紫外線光の影響を受けて、透明な状態から、ディスクプレーヤにおいて用いられるレーザ光の波長を吸収する状態に変わる反応染料を有し得ることを言えば十分である。一例として、国際特許出願公開第ＷＯ９９／４１７３８号の参照がなされる。このようなディスクは、ディスク材料に組み込まれるＲＦＩＤタグによってアクティブにされるエレクトロクロミック層も有してもよい。一例として、国際特許出願公開第ＷＯ２００４／０２５６４５号の参照がなされる。
【発明の概要】
【発明が解決しようとする課題】
【００１０】
ＤＶＤは、ペイロードコンテンツ（即ち、実際の映画）とは別に、販売促進活動及び行為に関連するコンテンツを含み得る。以下、このタイプのコンテンツを、簡単に、「広告」と示す。ここでは、２つの例を挙げる。 
【００１１】
第１の例は、予告編、即ち、今後公開されるものの予告編に関する。このような今後公開されるものは、ＤＶＤを含み得る。このようなＤＶＤの販売を促進するためである。このような今後公開されるものは、まもなく映画館において公開されると見込まれる映画も含み得る。映画館のチケットの販売を促進するためである。
【００１２】
第２の例は、コンテストに関する。前記ＤＶＤの持主は、前記持主が、例えばハリウッドへの旅行を獲得し得るコンテストに参加する可能性を提供され得る。前記コンテストは、或る特定の日までしか開かれない。
【００１３】
いずれの場合においても、前記広告は、或る特定の日までしか役に立たない。前記広告は、前記広告において言及されている（コンテストなどの）イベントが既に終わっていることから前記イベントで利益を得ることができないユーザにとって迷惑であるだけでなく、更に、このような期限切れの広告は、期限切れの又は「古い」ＤＶＤという印象を与える。小売業者が売れ残りのディスクを前記製作者に返さなければならないことさえ起こり得る。
【００１４】
更に、ディスクは、光学面の反対側の面にラベルを持ち、前記ディスクは、カバーを具備する箱で販売される。前記ラベル及び／又は前記カバーも、販売促進用の情報を含み得る。前記ラベル及び／又は前記カバーにおける販売促進用のものが、（前記ディスクにおける広告に対応するか否かにかかわらず）期限切れである場合には、同様の不利な点が存在する。
【００１５】
本発明の広い目的は、上記の問題を取り除く、又は少なくとも減らすことである。
【課題を解決するための手段】
【００１６】
「視聴制限ディスク」は、しばらくした後、完全に使えなくなるが、本発明は、同じ技術を、時間とともにコンテンツを変えるのに用いることを提案する。以下、このタイプのディスクを、「コンテンツ変化ディスク」と示す。 
【００１７】
本発明は、とりわけ、前記「期限切れの」広告が前記ユーザにはもはや見えなくなることを提案する。前記広告のコンテンツが単に見えなくされることは可能であるが、ここで、その代わりに、別の広告のコンテンツが見えるようになることも可能である。この効果は、例えば、ＤＶＤが、最初のＴＯＣ(Table Of Contents)の位置とは異なる位置に他のＴＯＣを与えられる場合、及び前記ディスクが、最初のＴＯＣの位置を覆う反応染料の層を具備する場合に、得られ得る。最初の使用段階においては、前記染料は透明であり、ディスクプレーヤは、最初のＴＯＣを見つけ、したがって、最初のＴＯＣが指し示す最初の広告のコンテンツを見つけるであろう。このようにして、最初の広告が、「見える」、即ち、「再生時に視聴されるために利用可能である」。後の段階において、前記ディスクプレーヤが最初の予想位置において最初のＴＯＣを読み出すことができないように、前記染料が不透明になる場合、前記ディスクプレーヤは、他のＴＯＣを探し始め、見つけたら、この他のＴＯＣが指し示すコンテンツであって、ここでは、最初の広告とは異なる第２の広告であろうコンテンツを再生するであろう。このようにして、第２の広告が、「見える」、即ち、「再生時に視聴されるために利用可能である」一方、最初の広告は、「見えない」、即ち、「再生時に視聴されるために利用できない」。
【００１８】
本発明は、ディスクラベルが、変化するコンテンツを持つことを更に提案する。
【００１９】
本発明は、とりわけ、コンテンツ変化ディスクの分野に関するが、本発明のこの態様は、「通常の」ディスクとの組み合わせにおいても実施され得る。コンテンツ変化ディスク上のディスクラベルの場合には、前記ラベルの可視コンテンツは、前記ディスクの再生可能コンテンツが変わるのとほぼ同時に変わるのが好ましい。
【００２０】
本発明は、ディスクの箱のカバーが、変化する可視コンテンツを持つことを更に提案する。
【００２１】
本発明は、とりわけ、コンテンツ変化ディスクの分野に関するが、本発明のこの態様は、「通常の」ディスクとの組み合わせにおいても実施され得る。コンテンツ変化ディスクを収容するディスクの箱の場合には、前記箱のカバーの可視コンテンツは、前記ディスクの再生可能コンテンツが変わるのとほぼ同時に変わるのが好ましい。
【００２２】
他の有利な詳細は、従属請求項において言及されている。
【００２３】
図面に関する１つ以上の好ましい実施例の以下の記載によって、本発明のこれら及び他の態様、特徴及び利点を更に説明する。前記図面において、同じ参照符号は、同じ又は同様のパーツを示す。
【図面の簡単な説明】
【００２４】
【図１】光ディスクの一部の断面を概略的に示す。
【図２】光ディスクを収容するための収納箱の一部の断面を概略的に示す。
【発明を実施するための形態】
【００２５】
以下では、ＤＶＤの場合について本発明を説明する。異なるフォーマットのディスクの場合には、幾つかの細部は適合させられる必要があるかもしれないことは、当業者には明らかであろう。
【００２６】
図１は、回転軸１１と中心穴１２とを持つ光ディスク１０の一部の断面を概略的に示している。知られているような、光学的に透明な材料で作成されるディスク１０は、レーザビーム４を放射し、反射されたレーザ光５を受け取る光ピックアップ３によって読み出され得るパターンを含む少なくとも１つの記憶層１３を有する。レーザビーム４は、或る主面１４においてディスク１０に当たる。以下、前記主面を、光学面と示す。光ディスクは、同じ側から読み出し可能な２つ以上の記憶層を有してもよい。光ディスクは、両側から読み出し可能な２つの記憶層を有することも可能である。このような場合には、両ディスク面が光学面である。本例においては、ディスク１０は、光学面１４を１つしか持たず、その反対側の面１５は、ラベル１６を具備する。ラベル１６は、ステッカ等の形態で、即ち、ディスクに任意の適切な方法で取り付けられる付加的なエンティティの形態で実施され得る。これは、図示されている実施例である。ラベル１６は、ディスク材料に組み込まれる色素層の形態で実施されることも可能である。
【００２７】
記憶層１３に書き込まれる情報は、当業者にとっては明らかであろうような所定の方法で構成される。ディスクは、所定の位置にリードインゾーン２１を持ち、前記リードインゾーン２１は、ディスクの中心の近くに示されている。ディスクは、リードインゾーン２１内の所定の位置にＴＯＣ(table of contents)を持つ。ＴＯＣは、所定のアドレスから始まる、したがって、ＴＯＣの物理的位置は、或る特定のディスク領域２２に対応する。以下、前記或る特定のディスク領域を、ＴＯＣ領域と示す。ＴＯＣは、リードインゾーン２１の外側のゾーンであって、以下、コンテンツゾーン２３と示すゾーンにおいてディスクに記憶される、（例えば、字幕、予告編、メインの映画、追加機能などの）コンテンツに関する情報を含む。ＴＯＣは、とりわけ、（コンテンツに対するポインタとも示される）コンテンツの異なる部分が記憶されるアドレスを含む。
【００２８】
動作中、ディスクドライブは、ＴＯＣを読み出し、視聴可能なコンテンツの選択肢のリストをユーザに示す。ユーザが前記ユーザの選択を入力した後、ディスクドライブは、ＴＯＣを調べて対応する開始アドレスを取り出し、光ピックアップ３は、その位置にジャンプする。 
【００２９】
通常、ディスクは、ＴＯＣを１つしか持つ必要がない。しかしながら、ディスクが、メインのＴＯＣが、何らかの理由、例えば光学面の物理的損傷のために読み出されることができない場合に、メインのＴＯＣの代わりとして用いられる１つ以上の二次ＴＯＣを含むことは可能である。ディスクのフォーマットに依存して、このような二次ＴＯＣの位置が予め規定されることは可能であり、リードインゾーン２１が二次ＴＯＣに対するポインタを含むことは可能であるが、ディスクドライブが、予想標準位置でＴＯＣを読み出すことができない場合に、（ひとりでに）他の場所で他のＴＯＣを探し始めることも可能である。本発明によるディスク１０においては、ディスクは、以下、二次ＴＯＣ領域２４と示す領域内に二次ＴＯＣを含む。更に、ディスクは、以下、第１広告領域２５と示す領域内に第１広告を含み、以下、第２広告領域２６と示す領域内に第２広告を含む。最初のＴＯＣは、第１広告領域２５内の第１広告の開始アドレスに対するポインタを含み、二次ＴＯＣは、第２広告領域２６内の第２広告の開始アドレスに対するポインタを含む。 
【００３０】
ディスクは、より多くの二次ＴＯＣ及びより多くの広告を含んでもよいことに注意されたい。
【００３１】
本発明によれば、ディスク１０は、ＴＯＣ領域２２において記憶層１３を覆う反応層３１を有する。反応層３１は、全リードインゾーン２１にわたって延在してもよい。その代わりに、又はその上に、反応層が、第１広告領域２５において記憶層１３を覆うことも可能である。これらのケースの全てにおいて、反応層は、後述するように、第１広告の再生を阻止することができる。それ故、以下、反応層３１を、より広く、広告阻止層と示す。単に、広告阻止層が、第１広告領域２５と一致する場合には、どの置き換え広告も再生可能とはならずに、単に、第１広告の再生が阻止されるかもしれず、それ故、広告阻止層がＴＯＣを覆う実施例が好ましい。
【００３２】
反応層３１は、最初は、少なくとも、ディスク１０を再生するための光ピックアップ３によって用いられるレーザ光４に対しては、透明である。しかしながら、反応層３１は、前記反応層３１が不透明になるように層３１の光学特性を変えることができる材料を含む。この材料は、透明な状態から、例えば、酸素（又は周囲空気の別の成分）又は紫外線光（又は周辺光の別の成分）の影響を受けて、不透明な状態に変わる、適切な染料であってもよい。この材料は、ディスクに組み込まれる又は取り付けられるＲＦＩＤチップ（図示せず）の制御下で透明な状態から不透明な状態に変わるエレクトロクロミック材料であってもよい。適切な材料は、視聴制限ディスクの分野において知られており、本発明を実施するのに用いられ得る。上記の文献は、幾つかの適切な材料に言及していることに注意されたい。
【００３３】
本発明の他の態様によれば、反応層３１は、層の遷移の時間を調節するためのタイミング制御装置を具備する。これは、幾つかの方法で実施され得る。
【００３４】
反応層３１が酸素に影響されやすい染料を有する実施例においては、図示されているように、酸素を拡散によって通過させることができる障壁層３２によって反応層３１が覆われることがあり得る。適切な障壁層の例は、窒化ケイ素（Si3N4）又はポリマである。酸素は、障壁層３２によって拡散した後にしか反応層３１に到達せず、これは、とりわけ障壁層３２の厚さに依存する時間がかかる。したがって、障壁層３２の厚さを適切に選択することによって、遷移時間、即ち、ディスクが密封包み（図示せず）から取り出されたあと、反応層３１が不透明な状態に遷移するためにかかる時間を設定することは可能である。
【００３５】
また、反応層３１が酸素に影響されやすい染料を有する実施例においては、反応層３１が、低い酸化電位を持つ捕獲物質を更に有することがあり得る。これは、全捕獲物質が酸素を捕獲するまで、いかなる酸素も、最初に、捕獲物質によって捕獲され、染料の酸化は、その後にしか起こらないことを意味する。
【００３６】
一例として、染料はメチレンブルーであってもよい。メチレンブルーは、その還元状態において透明である（ロイコメチレンブルー）。酸化は、ロイコメチレンブルーをメチレンブルーの色付き状態に変える。この反応は可逆的（酸化還元反応）であるので、色付きメチレンブルーは、酸素圧を減らすことによって退色させられ得る。適切な捕獲物質は、例えば、Sn(II)の２−エチルヘキサン酸塩である。Sn(II)の２−エチルヘキサン酸塩は、Sn(IV)の２−エチルヘキサン酸塩に酸化する。この反応は、平衡反応でない。全てのSn(II)の２−エチルヘキサン酸塩がSn(IV)の２−エチルヘキサン酸塩を形成するよう酸化された後にしか、ロイコメチレンブルーの酸化は始まらない。したがって、Sn(II)の２−エチルヘキサン酸塩の量、即ち、Sn(II)の２−エチルヘキサン酸塩の濃度を適切に選択することによって、ロイコメチレンブルーの遷移時間を設定することが可能である。
【００３７】
異なる染料について、異なる捕獲物質を用いて、同様の遅延させられる酸化反応が可能であることは、明らかであろう。
【００３８】
反応層３１が、（読出処理を妨げない適切な位置において、例えば、19.5mmから22.5mmまでの範囲内の半径のところで）ディスクに組み込まれるＲＦＩＤチップによって制御されるエレクトロクロミック層を有する実施例においては、ＲＦＩＤチップは、販売時点に作動させられ得る。このメカニズムは、ディスクのコンテンツの一部を選択的に隠すために、又はディスクのコンテンツの一部を選択的に開示する（イネーブルにする）ために用いられ得る。これは、日付に依存し得るが、購入者によって支払われるオプションにも依存し得る。
【００３９】
他の実施例においては、反応層は、しばらくした後に、その時点まで隠されていたコンテンツを開示するよう、不透明な層から透明な層へ変わり得ることに注意されたい。これは、ＴＯＣを覆う反応層３１でも実施され得る。反応層３１が透明である間は、第２広告が示され、反応層３１の遷移後、第１広告が示されるであろう。
【００４０】
更に、第１遅延時間後に見えるようになるコンテンツが、第２遅延時間後に再び見えなくなることが可能である。これは、例えば、２つ（以上）の反応層を互いの上に配設することによって実施され得る。
【００４１】
上記の全てのケースにおいて、ディスクは、常に見えるメインのコンテンツ（即ち、実際の映画）を含むことに注意されたい。したがって、最初の使用段階の間、及び後の使用段階の間、どのＴＯＣも、このメインのコンテンツに対するポインタを含むであろう。更に、コンテンツゾーン２３の、メインのコンテンツを含む領域２７であって、それ故、メインコンテンツ領域２７と示される領域２７には、いかなる阻止層もない。
【００４２】
ラベル１６は、ディスク及びそのコンテンツに関する人間の目に見える情報（テキスト、画像）を含む。ラベル１６は、広告に関する可視情報も含み得る。ディスクコンテンツに関して上で説明したのと同様の理由で、本発明によるラベル１６は、ラベル１６の可視情報がしばらくした後に変わるという特徴付け機能を持つ。 
【００４３】
図１においては、ラベル１６の広告画像は、４３で示されている。ラベル１６の一部は、広告画像４３を覆う、透明な層から不透明な層へ遷移することができる反応層４１を具備する。更に、この反応層４１は、タイミング制御装置を具備し、反応層４１を覆うタイミング制御層４２が示されている。タイミング制御装置、とりわけタイミング制御層４２については、上記でタイミング制御層３２について述べたことと同じことが当てはまり、ここでも同じ材料が用いられ得る。また、反応層４１については、上記で反応層３１について述べたことと同じことが当てはまり、ここでも同じ材料が用いられ得る。したがって、広告画像４３がしばらくした後に「見えなくなる」ことは、上記の説明を繰り返す必要なしに、当業者には明らかであろう。しかしながら、この文脈において、「見える」という表現は、レーザビームにではなく、人間の目に見えることを意味し、「見えない」という表現は、レーザビームにではなく、人間の目に見えないことを意味することは明らかであろう。
【００４４】
図１は、更に、ラベル１６の第２広告画像を示しており、前記第２広告画像は、５３で示されている。ラベル１６の一部は、第２広告画像５３を覆う、不透明な層から透明な層へ遷移することができる第２反応層５１を具備する。更に、この第２反応層５１は、タイミング制御装置を具備し、第２反応層５１を覆う第２タイミング制御層５２が示されている。第２タイミング制御装置、とりわけ第２タイミング制御層５２については、上記でタイミング制御層３２について述べたことと同じことが当てはまり、ここでも同じ材料が用いられ得る。また、反応層５１については、上記で反応層３１について述べたことと同じことが当てはまり、ここでも同じ材料が用いられ得る。したがって、第２広告画像５３がしばらくした後に「現れる」ことは、上記の説明を繰り返す必要なしに、当業者には明らかであろう。
【００４５】
したがって、画像４３は、覆っている、透明な層から不透明な層へ変わる反応層４１により、幾らかの遅延時間後に見えなくなることができ、画像５３は、覆っている、不透明な層から透明な層へ変わる反応層５１により、幾らかの遅延時間後に現れることができる。それらのケースにおいては、反応層は、下にある画像を視界から隠す制御可能なカバーとして動作する。しかしながら、画像自体が反応層として実現されることも可能である。その場合、画像（又はテキスト）を構成するパターンで染料が配設される。その場合、不透明な層から透明な層へ変わる層が、見えなくなる画像を実現し、透明な層から不透明な層へ変わる層が、現れる画像を実現する。
【００４６】
ディスクがいかなる広告も含まない場合には、ラベルには上記のことが当てはまる。ディスクが、遅延時間後に開示される又は隠される広告を含み、ラベル１６の情報が、同じ広告に関する場合には、ラベル１６の反応層４１、５１のタイミングは、ディスクコンテンツの反応層３１のタイミングとほぼ同期させられることが好ましい。エレクトロクロミック層３１、４１及び５１の場合には、全ての層が共通のＲＦＩＤチップによって制御されることが可能である。
【００４７】
図２は、（破線で示されている）ディスク１０を収容するための収納箱１００の一部の断面を概略的に示している。箱１００は、１枚のディスクを収容するよう示されているが、前記箱は、多数のディスクを収容することも可能である。ディスクを小売りするときに用いられるこのタイプの箱は一般に知られており、詳細な説明は必要ない。前記箱は、一般に、透明材料、一般的にはプラスチックから作られることを言えば十分である。このような箱は、一般に、容器と、ヒンジで動くカバー蓋とを有するが、これらの細部は、便宜上、概略図から省かれていることに注意されたい。
【００４８】
箱１００は、ディスク及びそのコンテンツに関する人間の目に見える情報（テキスト、画像）を含む。箱１００は、広告に関する可視情報も含み得る。ディスクコンテンツに関して上で説明したのと同様の理由で、本発明による箱１００は、箱１００の可視情報がしばらくした後に変わるという特徴付け機能を持つ。
【００４９】
図２においては、箱１００の広告画像は、１４３で示されている。箱１００の一部は、広告画像１４３を覆う、透明な層から不透明な層へ遷移することができる反応層１４１を具備する。更に、この反応層１４１は、タイミング制御装置を具備し、反応層１４１を覆うタイミング制御層１４２が示されている。タイミング制御装置、とりわけタイミング制御層１４２については、上記でタイミング制御層３２及び４２について述べたことと同じことが当てはまり、ここでも同じ材料が用いられ得る。また、反応層１４１については、上記で反応層３１及び４１について述べたことと同じことが当てはまり、ここでも同じ材料が用いられ得る。したがって、広告画像１４３がしばらくした後に「見えなくなる」ことは、上記の説明を繰り返す必要なしに、当業者には明らかであろう。
【００５０】
図２は、更に、箱１００の第２広告画像を示しており、前記第２広告画像は、１５３で示されている。箱１００の一部は、第２広告画像１５３を覆う、不透明な層から透明な層へ遷移することができる第２反応層１５１を具備する。更に、この第２反応層１５１は、タイミング制御装置を具備し、第２反応層１５１を覆う第２タイミング制御層１５２が示されている。第２タイミング制御装置、とりわけ第２タイミング制御層１５２については、上記でタイミング制御層３２及び４２について述べたことと同じことが当てはまり、ここでも同じ材料が用いられ得る。また、反応層１５１については、上記で反応層３１及び４１について述べたことと同じことが当てはまり、ここでも同じ材料が用いられ得る。したがって、第２広告画像１５３がしばらくした後に「現れる」ことは、上記の説明を繰り返す必要なしに、当業者には明らかであろう。
【００５１】
したがって、画像１４３は、覆っている、透明な層から不透明な層へ変わる反応層１４１により、幾らかの遅延時間後に見えなくなることができ、画像１５３は、覆っている、不透明な層から透明な層へ変わる反応層１５１により、幾らかの遅延時間後に現れることができる。それらのケースにおいては、反応層は、下にある画像を視界から隠す制御可能なカバーとして動作する。しかしながら、画像自体が反応層として実現されることも可能である。その場合、画像（又はテキスト）を構成するパターンで染料が配設される。その場合、不透明な層から透明な層へ変わる層が、見えなくなる画像を実現し、透明な層から不透明な層へ変わる層が、現れる画像を実現する。
【００５２】
上記において、画像１４３、１５３及び層１４１、１４２、１５１、１５２は、箱の材料の中又は上に配設される。箱自体は、透明であるが、画像１４３、１５３及び層１４１、１４２、１５１、１５２を備える挿入物を含むことも可能である。このような挿入物は、例えば、紙で作られていてもよい。
【００５３】
ディスクがいかなる広告も含まない場合には、箱には上記のことが当てはまる。ディスクが、遅延時間後に開示される又は隠される広告を含み、箱１００の情報が、同じ広告に関する場合には、箱１００の反応層１４１、１５１のタイミングは、ディスクコンテンツの反応層３１のタイミングとほぼ同期させられることが好ましい。エレクトロクロミック層１４１及び１５１の場合には、全ての層が共通のＲＦＩＤチップによって制御されることが可能である。同様に、ディスクが、遅延時間後に開示される又は隠される広告を持つラベルを有し、箱１００の情報が、同じ広告に関する場合には、箱１００の反応層１４１、１５１のタイミングは、ラベルの反応層４１、５１のタイミングとほぼ同期させられることが好ましい。 
【００５４】
このケースにおいては、ディスクは、光ディスクである必要はなく、本発明による箱は、他のタイプの情報担体を収容するためにも用いられ得ることに注意されたい。
【００５５】
要約すると、本発明は、映画である少なくとも１つのコンテンツ部と、広告である少なくとも１つの他のコンテンツ部とを備える少なくとも１つの記憶層１３を有する光ディスク１０を提供する。最初のうちは、広告は見えるが、しばらくした後には、広告はもはや見えない。光ディスクは、最初のうちは見えるが、しばらくした後にはもはや見えない広告画像４３を含むラベル１６を具備し得る。光ディスクは、最初のうちは見えるが、しばらくした後にはもはや見えない広告画像１４３を具備する収納箱１００に収容され得る。
【００５６】
図面及び上述の説明において本発明を詳細に図示し、説明しているが、このような図及び説明は、説明的なもの又は例示的なものであって、限定するものではないとみなされるべきであることは、当業者には明らかであろう。本発明は、開示されている実施例には限定されない。もっと正確に言えば、添付している請求項において規定されているような本発明の保護範囲内で幾つかの変更及び修正が可能である。 
【００５７】
請求項記載の発明の実施において、図面、明細及び添付の請求項の研究から、当業者によって、開示されている実施例に対する他の変更が、理解され、行われ得る。請求項において、「有する」という用語は、他の要素又はステップを除外せず、単数形表記は、複数の存在を除外しない。請求項において列挙されている幾つかのアイテムの機能を単一のプロセッサ又は他のユニットが実現してもよい。単に、或る特定の手段が、相互に異なる従属請求項において引用されているという事実は、これらの手段の組み合わせが有利になるようには用いられることができないことを示すものではない。コンピュータプログラムは、他のハードウェアと共に又はそれの一部として供給される光記憶媒体又は固体媒体などの適切な媒体に記憶／分散されてもよいが、インターネット又は他の有線若しくは無線電気通信システムなどを介して、他の形態で分散されてもよい。請求項におけるいかなる参照符号も、範囲を限定するものとして解釈されてはならない。
【００５８】
上記においては、本発明による装置の機能ブロックを図示しているブロック図を参照して、本発明を説明している。これらの機能ブロックの１つ以上は、このような機能ブロックの機能が個々のハードウェアコンポーネントによって実施されるハードウェアにおいて実施されてもよいが、これらの機能ブロックの１つ以上は、このような機能ブロックの機能が、コンピュータプログラムの１つ以上のプログラムライン、又はマイクロプロセッサ、マイクロコントローラ、ディジタルシグナルプロセッサなどのようなプログラム可能な装置によって実施されるように、ソフトウェアで実施されることも可能であることは理解されたい。
【図１】
2010522404.tif 000003
【図２】
2010522404.tif 000004
【国際調査報告】
2010522404.tif 000005
2010522404.tif 000006
2010522404.tif 000007
2010522404.tif 000008
2010522404.tif 000009